(57)【要約】【課題】１つのテキストシンボルに対する操作のみで文書の書式設定を各種変更可能とし、操作者の利便性を向上する。【解決手段】文書データの編集画面を表示するラベルイメージ表示部２１と、予め定められたシンボル用テキスト文字を、テキストシンボルで表示するアイコン表示部２２とを有し、ラベルイメージ表示部２１が表示する文書データに対し設定された第１書式設定を取得し、テキストシンボルを表示した状態のアイコン表示部２２に対し、所定パターンの軌跡を生成する軌跡生成操作があった場合に、その操作の軌跡を検出し、検出された操作の軌跡に対応した第２書式設定を取得し、取得された第２書式設定と、取得された第１書式設定とを合成し、文書データに対する新たな合成書式設定を生成する。【選択図】図５
2012098843.tif 000002
【特許請求の範囲】
【請求項１】
少なくとも１つのテキスト文字を含む文書データの編集画面を表示する文書表示手段と、
前記文書表示手段が表示する前記文書データに対し設定された第１書式設定を取得する第１書式取得手段と、
予め定められたシンボル用テキスト文字を、前記第１書式取得手段により取得された書式設定を反映した態様のテキストシンボルで表示するシンボル表示手段と、
前記テキストシンボルを表示した状態の前記シンボル表示手段に対し、所定パターンの軌跡を生成する軌跡生成操作があった場合に、その操作の軌跡を検出する第１軌跡検出手段と、
前記第１軌跡検出手段により検出された前記操作の軌跡に対応した、第２書式設定を取得する第２書式取得手段と、
前記第２書式取得手段により取得された前記第２書式設定と、前記第１書式取得手段により取得された前記第１書式設定とを合成し、前記文書データに対する新たな合成書式設定を生成する書式合成手段と
を有することを特徴とする文書編集装置。
【請求項２】
請求項１記載の文書編集装置において、
前記シンボル用テキスト文字を、前記書式合成手段により生成された前記合成書式設定を反映した態様の前記テキストシンボルで表示するよう、前記シンボル表示手段を制御する、シンボル表示制御手段を
有することを特徴とする文書編集装置。
【請求項３】
請求項２記載の文書編集装置において、
前記書式合成手段により前記合成書式設定が生成された場合、当該合成書式設定が生成された後に前記文書表示手段に入力される文書データを、当該合成書式設定を反映した態様により表示するように前記文書表示手段を制御する、第１文書表示制御手段を
有することを特徴とする文書編集装置。
【請求項４】
請求項２または３に記載の文書編集装置において、
前記文書表示手段に表示されている文書データから文字列を選択する文字列選択手段を備え、
前記書式合成手段により前記合成書式設定が生成された場合、前記文字列選択手段により選択された文字列を、当該合成書式設定を反映した態様により表示するよう、前記文書表示手段を制御する、第２文書表示制御手段を
有することを特徴とする文書編集装置。
【請求項５】
請求項２乃至請求項４のいずれか１項記載の文書編集装置において、
前記合成書式設定を反映した態様の前記テキストシンボルを表示した状態の前記シンボル表示手段に対し、前記所定パターンと逆向きの軌跡を生成する軌跡生成操作があった場合に、その操作の軌跡を検出する第２軌跡検出手段を有し、
前記書式合成手段は、
前記第２軌跡検出手段により前記所定パターンとは逆向きの操作の軌跡が検出された場合、前記所定パターンの軌跡を生成する軌跡生成操作に対応した前記第２書式設定と前記第１書式設定を合成することによりその時点で生成されている前記合成書式設定を、合成前の書式設定に復元する
ことを特徴とする文書編集装置。
【請求項６】
少なくとも１つのテキスト文字を含む文書データの編集画面を表示する文書表示手段、及び、予め定められたシンボル用テキスト文字をテキストシンボルで表示するシンボル表示手段、を備えた文書編集装置の制御手段に対し、
前記文書表示手段が表示する前記文書データに対し設定された第１書式設定を取得する第１書式取得手順と、
前記テキストシンボルを表示した状態の前記シンボル表示手段に対し、所定パターンの軌跡を生成する軌跡生成操作があった場合に、その操作の軌跡を検出する第１軌跡検出手順と、
前記第１軌跡検出手順で検出された前記操作の軌跡に対応した、第２書式設定を取得する第２書式取得手順と、
前記第２書式取得手順で取得された前記第２書式設定と、前記第１書式取得手順で取得された前記第１書式設定とを合成し、前記文書データに対する新たな合成書式設定を生成する書式合成手順と、
を実行させるための、文書編集プログラム。
【請求項７】
請求項６記載の文書編集プログラムにおいて、
前記制御手段に対し、さらに、
前記シンボル用テキスト文字を、前記書式合成手順で生成された前記合成書式設定を反映した態様の前記テキストシンボルで表示するよう、前記シンボル表示手段を制御する、シンボル表示制御手順を
実行させることを特徴とする文書編集プログラム。
【発明の詳細な説明】
【技術分野】
【０００１】
本発明は、テキスト文字を含む文書データを編集可能な文書編集装置及び文書編集プログラムに関する。
【背景技術】
【０００２】
従来の文書編集装置の一例として、例えば特許文献１に記載の技術がある。この従来技術では、印字ラベルに印字する文書データを、例えばパソコン等の表示画面上で編集可能となっている。表示画面には、テキスト文字等からなる文書データを表示する文書表示手段（作業領域）と、その文書データに対する書式設定を行うためのアイコンを表示するアイコン表示手段（テキストプロパティ用ツールボックス）とが設けられている。操作者がアイコンの１つをクリック操作して対応する書式設定（例えば、太字）等を行うことにより、文書表示手段に表示される文書データは当該書式設定を反映した態様で表示される。
【先行技術文献】
【特許文献】
【０００３】
【特許文献１】特開２００５−２８４６３１号公報
【発明の概要】
【発明が解決しようとする課題】
【０００４】
上記従来技術においては、１つのアイコンに１つの書式設定が対応付けられている。例えば斜字の書式設定を実行するためのアイコン、太字の書式設定を実行するためのアイコン、大きなフォントサイズの書式設定を実行するためのアイコン、等がそれぞれが表示される。したがって、複数の書式設定を設定可能な機能を備えている装置の場合、当該設定可能な書式設定の種類数に匹敵する複数のアイコンがアイコン表示手段に一覧表示される。そして、操作者は、当該一覧表示された複数のアイコンの中から、自分が文書データに対し設定したい書式設定を表すアイコンを探し出して、（隣接する他のアイコンと間違わないように）当該アイコンを正確に操作する必要があり、操作負担が煩わしく不便であった。特に、表示画面が小さい場合には、複数の書式設定に対するアイコンをすべて一覧表示すること自体が困難であり、一部のアイコンを不表示とするか、全アイコンのサイズを小さくしなければならず、さらに不便であった。
【０００５】
あるいは、上記従来技術では、アイコンを用いず、「書式」ボタンを操作することで書式設定モードの別画面に移行し、当該移行した別画面において複数の書式設定をまとめて行うこともできる。しかしながらこの場合には、文書データの編集画面から上記別画面に切り替わってしまうので、書式設定の終了後には再び編集画面に戻る操作が必要となり、上記同様、操作負担が煩わしかった。
【０００６】
以上のように、上記従来技術では、文書データに対する書式設定を行うときの操作者の操作負担が煩わしく、利便性が低かった。
【０００７】
本発明の目的は、１つのテキストシンボルに対する操作のみで文書の書式設定を各種変更可能とし、操作者の利便性を向上できる文書編集装置、及び文書編集プログラムを提供することにある。
【課題を解決するための手段】
【０００８】
上記目的を達成するために、第１の発明は、少なくとも１つのテキスト文字を含む文書データの編集画面を表示する文書表示手段と、前記文書表示手段が表示する前記文書データに対し設定された第１書式設定を取得する第１書式取得手段と、予め定められたシンボル用テキスト文字を、前記第１書式取得手段により取得された書式設定を反映した態様のテキストシンボルで表示するシンボル表示手段と、前記テキストシンボルを表示した状態の前記シンボル表示手段に対し、所定パターンの軌跡を生成する軌跡生成操作があった場合に、その操作の軌跡を検出する第１軌跡検出手段と、前記第１軌跡検出手段により検出された前記操作の軌跡に対応した、第２書式設定を取得する第２書式取得手段と、前記第２書式取得手段により取得された前記第２書式設定と、前記第１書式取得手段により取得された前記第１書式設定とを合成し、前記文書データに対する新たな合成書式設定を生成する書式合成手段とを有することを特徴とする。
【０００９】
本願第１発明の文書編集装置は、文書表示手段と、シンボル表示手段とを有する。文書表示手段には、編集対象となる所望の文書データが表示される。シンボル表示手段には、予め定められたシンボル用テキスト文字を用いたテキストシンボル（いわゆるアイコン）が表示される。このとき、文書データに対して操作者が設定した（あるいは自動設定された）第１書式設定が、第１書式取得手段により取得される。そして、シンボル表示手段は、この取得された第１書式設定を反映した態様で、上記テキストシンボルを表示する。これにより、例えば、アンダーライン、あるいは太字の書式設定がされていた場合は、「Ａ」等のシンボル用テキスト文字が、アンダーラインが付加されて、あるいは太字で、表示される。
【００１０】
ここで、本願第１発明においては、上記のように書式設定が反映した状態のテキストシンボルを表示したシンボル表示手段に対し、操作者が例えばペンや指での接触操作やマウス等を用いた画面操作によって適宜に軌跡生成操作を行うことにより、書式設定を変更することができる。すなわち、操作者がシンボル表示手段に表示されたテキストシンボルに対し軌跡生成操作を行うと、その操作の軌跡が第１軌跡検出手段によって検出される。そして、第２書式取得手段が、その検出された操作の軌跡に対応した第２書式設定を取得する。例えば、操作者が指、ペン、マウス等で上記テキストシンボルを右上から左下に横断するように軌跡生成操作した場合には、斜字の書式設定を、操作者が２本指で上記テキストシンボルの中央部から上下へそれぞれなぞるように（又はペンで中央部から上へなぞるように）軌跡生成操作した場合には、大きなフォントサイズの書式設定を、取得することができる。
【００１１】
その後、上記のようにして操作の軌跡に対応して新たに取得された第２書式設定と、文書データに対して既に設定されていた第１書式設定とが、書式合成手段によって合成され、新たな合成書式設定が生成される。例えば、上記の例に沿うと、アンダーラインの第１書式設定がされ、斜字の第２書式設定がされている場合には、これらを合成したアンダーラインかつ斜字という設定が合成書式設定となり、太字の第１書式設定がされ、大きなフォントサイズの第２書式設定がされている場合には、これらを合成した太字かつ大きなフォントサイズという設定が合成書式設定となる。
【００１２】
以上のようにして、本願第１発明においては、文書表示手段に表示される文書データの書式設定を、シンボル表示手段に表示されたテキストシンボルに対する軌跡生成操作によって行うことができる。これにより、表示領域が狭く、多くのボタンやシンボル（アイコン）等を配置することが困難な装置であっても、１つのテキストシンボルの表示スペースさえあれば、操作者は書式設定の変更を容易にかつ確実に行うことができる。したがって、利便性を向上することができる。また表示領域が広い装置であっても、１つのテキストシンボルに対する操作のみで各種の書式設定に変更できるので、利便性が高い。さらに、文書表示手段に文書データの編集画面を表示した状態のままで書式設定を変更できるので、編集モードを中断して書式設定モードに移行する必要がなく、操作負担を簡素化できるので、この意味でも操作者の利便性を向上することができる。
【００１３】
第２発明は、上記第１発明において、前記シンボル用テキスト文字を、前記書式合成手段により生成された前記合成書式設定を反映した態様の前記テキストシンボルで表示するよう、前記シンボル表示手段を制御する、シンボル表示制御手段を有することを特徴とする。
【００１４】
これにより、変更後の書式設定、すなわち現在どのような書式設定になっているかを、操作者が一目で見て明白に認識することができる。
【００１５】
第３発明は、上記第２発明において、前記書式合成手段により前記合成書式設定が生成された場合、当該合成書式設定が生成された後に前記文書表示手段に入力される文書データを、当該合成書式設定を反映した態様により表示するように前記文書表示手段を制御する、第１文書表示制御手段を有することを特徴とする。
【００１６】
これにより、操作者が軌跡生成操作をする前に入力した文書データについては、当初の書式設定を生かしたままとし、軌跡生成操作後に入力する文書データについてのみ、新たな書式設定とすることができる。
【００１７】
第４発明は、上記第２または第３発明において、前記文書表示手段に表示されている文書データから文字列を選択する文字列選択手段を備え、前記書式合成手段により前記合成書式設定が生成された場合、前記文字列選択手段により選択された文字列を、当該合成書式設定を反映した態様により表示するよう、前記文書表示手段を制御する、第２文書表示制御手段を有することを特徴とする。
【００１８】
これにより、操作者が軌跡生成操作をする前に入力した文書データについても、文字列選択手段で選択しておくことで、一斉に新たな書式設定とすることができる。
【００１９】
第５発明は、上記第２乃至第４発明のいずれかにおいて、前記合成書式設定を反映した態様の前記テキストシンボルを表示した状態の前記シンボル表示手段に対し、前記所定パターンと逆向きの軌跡を生成する軌跡生成操作があった場合に、その操作の軌跡を検出する第２軌跡検出手段を有し、前記書式合成手段は、前記第２軌跡検出手段により前記所定パターンとは逆向きの操作の軌跡が検出された場合、前記所定パターンの軌跡を生成する軌跡生成操作に対応した前記第２書式設定と前記第１書式設定を合成することによりその時点で生成されている前記合成書式設定を、合成前の書式設定に復元することを特徴とする。
【００２０】
これにより、操作者が軌跡生成操作を行って書式設定を変更した後に、思い直して当該変更を取り消したい場合には、上記軌跡生成操作を打ち消すような逆方向への軌跡生成操作を行うことで、もとの書式設定に簡単に戻すことができる。これにより、さらに利便性を向上することができる。
【００２１】
上記目的を達成するために、本願第６発明の文書編集プログラムは、少なくとも１つのテキスト文字を含む文書データの編集画面を表示する文書表示手段、及び、予め定められたシンボル用テキスト文字をテキストシンボルで表示するシンボル表示手段、を備えた文書編集装置の制御手段に対し、前記文書表示手段が表示する前記文書データに対し設定された第１書式設定を取得する第１書式取得手順と、前記テキストシンボルを表示した状態の前記シンボル表示手段に対し、所定パターンの軌跡を生成する軌跡生成操作があった場合に、その操作の軌跡を検出する第１軌跡検出手順と、前記第１軌跡検出手順で検出された前記操作の軌跡に対応した、第２書式設定を取得する第２書式取得手順と、前記第２書式取得手順で取得された前記第２書式設定と、前記第１書式取得手順で取得された前記第１書式設定とを合成し、前記文書データに対する新たな合成書式設定を生成する書式合成手順と、を実行させる。
【００２２】
本願第６発明の文書編集プログラムが適用される文書編集装置は、文書表示手段と、シンボル表示手段とを有する。文書表示手段には、編集対象となる所望の文書データが表示される。シンボル表示手段には、予め定められたシンボル用テキスト文字を用いたテキストシンボル（いわゆるアイコン）が表示される。文書編集プログラムによって、文書編集装置の制御手段は、文書データに対して操作者が設定した（あるいは自動設定された）第１書式設定を、第１書式取得手順で取得する。そして、シンボル表示手段は、この取得された第１書式設定を反映した態様で、上記テキストシンボルを表示する。これにより、例えば、アンダーライン、あるいは太字の書式設定がされていた場合は、「Ａ」等のシンボル用テキスト文字が、アンダーラインが付加されて、あるいは太字で、表示される。
【００２３】
ここで、本願第６発明においては、上記のように書式設定が反映した状態のテキストシンボルを表示したシンボル表示手段に対し、操作者が例えばペンや指での接触操作やマウス等を用いた画面操作によって適宜に軌跡生成操作を行うことにより、書式設定を変更することができる。すなわち、操作者がシンボル表示手段に表示されたテキストシンボルに対し軌跡生成操作を行うと、その操作の軌跡が第１軌跡検出手順で検出される。そして、第２書式取得手順で、その検出された操作の軌跡に対応した第２書式設定が取得される。例えば、操作者が指、ペン、マウス等で上記テキストシンボルを右上から左下に横断するように軌跡生成操作した場合には、斜字の書式設定を、操作者が２本指で上記テキストシンボルの中央部から上下へそれぞれなぞるように（又はペンで中央部から上へなぞるように）軌跡生成操作した場合には、大きなフォントサイズの書式設定を、取得することができる。
【００２４】
その後、上記のようにして操作の軌跡に対応して新たに取得された第２書式設定と、文書データに対して既に設定されていた第１書式設定とが、書式合成手順で合成され、新たな合成書式設定が生成される。例えば、上記の例に沿うと、アンダーラインの第１書式設定がされ、斜字の第２書式設定がされている場合には、これらを合成したアンダーラインかつ斜字という設定が合成書式設定となり、太字の第１書式設定がされ、大きなフォントサイズの第２書式設定がされている場合には、これらを合成した太字かつ大きなフォントサイズという設定が合成書式設定となる。
【００２５】
以上のようにして、本願第６発明の文書編集プログラムを実行する制御手段を備えた文書編集装置においては、文書表示手段に表示される文書データの書式設定を、シンボル表示手段に表示されたテキストシンボルに対する軌跡生成操作によって行うことができる。これにより、表示領域が狭く、多くのボタンやシンボル（アイコン）等を配置することが困難な装置であっても、１つのテキストシンボルの表示スペースさえあれば、操作者は書式設定の変更を容易にかつ確実に行うことができる。したがって、利便性を向上することができる。また表示領域が広い装置であっても、１つのテキストシンボルに対する操作のみで各種の書式設定に変更できるので、利便性が高い。さらに、文書表示手段に文書データの編集画面を表示した状態のままで書式設定を変更できるので、編集モードを中断して書式設定モードに移行する必要がなく、操作負担を簡素化できるので、この意味でも操作者の利便性を向上することができる。
【００２６】
第７発明は、上記第６発明において、前記制御手段に対し、さらに、前記シンボル用テキスト文字を、前記書式合成手順で生成された前記合成書式設定を反映した態様の前記テキストシンボルで表示するよう、前記シンボル表示手段を制御する、シンボル表示制御手順を実行させることを特徴とする。
【００２７】
これにより、変更後の書式設定、すなわち現在どのような書式設定になっているかを、操作者が一目で見て明白に認識することができる。
【発明の効果】
【００２８】
本発明によれば、１つのテキストシンボルに対する操作のみで文書の書式設定を各種変更可能とし、操作者の利便性を向上することができる。
【図面の簡単な説明】
【００２９】
【図１】本発明の一実施形態における印字システムの全体を表すシステム構成図である。
【図２】操作端末及びラベルプリンタの詳細機能を表す機能ブロック図である。
【図３】操作端末内における処理制御上の機能的構成の一例を表すブロック図である。
【図４】初期設定した文書データとアイコンを表示させた操作端末の表示部の画面の一例を示す図である。
【図５】軌跡生成操作の例を表す説明図である。
【図６】アイコン表示部に対し軌跡生成操作がなされたときの画面表示例を表す図である。
【図７】アイコン表示部に対し軌跡生成操作がなされたときの画面表示例を表す図である。
【図８】アイコン表示部に対し軌跡生成操作がなされたときの画面表示例を表す図である。
【図９】アイコン表示部に対し軌跡生成操作がなされたときの画面表示例を表す図である。
【図１０】ラベルプリンタにより作成された印字ラベルの具体例を示す平面図である。
【図１１】操作端末のＣＰＵによって実行される制御手順を表すフローチャートである。
【図１２】図１１のステップＳ５の詳細手順を表すフローチャートである。
【図１３】文字列の全体に一括して書式設定する変形例において、アイコン表示部に対し軌跡生成操作がなされたときの画面表示例を表す図である。
【図１４】文字列の全体に一括して書式設定する変形例において、アイコン表示部に対し軌跡生成操作がなされたときの画面表示例を表す図である。
【図１５】文字列の全体に一括して書式設定する変形例において、アイコン表示部に対し軌跡生成操作がなされたときの画面表示例を表す図である。
【図１６】文字列の全体に一括して書式設定する変形例において、アイコン表示部に対し軌跡生成操作がなされたときの画面表示例を表す図である。
【図１７】書式設定の変更の取消を可能とした変形例における、軌跡生成操作の例を表す説明図である。
【発明を実施するための形態】
【００３０】
以下、本発明の一実施の形態を図面を参照しつつ説明する。
【００３１】
図１は、本実施形態の文書編集装置を備えた印字システム全体を表すシステム構成図である。本実施形態は、文書データとして、印字ラベルに印字される印字文字を編集可能な、文書編集装置の実施形態である。
【００３２】
図１において、印字システム１は、例えば汎用パーソナルコンピュータで構成される操作端末（文書編集装置）２と、例えばＵＳＢ等のインターフェースを介して操作端末２に接続されたラベルプリンタ３とを有している。
【００３３】
ラベルプリンタ３は、操作端末２との間で各種の情報と指示信号を送受し、操作端末２で入力され編集された所望の文書データ（詳細は後述）を印字形成した印字ラベルＬを作成する。
【００３４】
図２は、上記操作端末２及びラベルプリンタ３の詳細機能を表す機能ブロック図である。
【００３５】
図２において、操作端末２は、ＣＰＵ（制御手段）１２と、例えばＲＡＭやＲＯＭ等からなるメモリ１３と、ユーザ（操作者）からの指示や情報が入力される、例えばマウス等を備えた操作部１４と、各種情報やメッセージを表示する表示部１７と、ハードディスク装置からなり各種情報を記憶する大容量記憶装置１６と、例えばＵＳＢなどの規格に準拠するインターフェース接続を介してラベルプリンタ３との情報信号の授受の制御を行う通信制御部１５とを備えている。
【００３６】
ＣＰＵ１２は、ＲＡＭの一時記憶機能を利用しつつＲＯＭに予め記憶された若しくはＲＡＭに展開されたプログラム（後述する文書編集プログラムを含む）にしたがって信号処理を行う。ＣＰＵ１２は、上記信号処理により、ラベルプリンタ３との間で、通信制御部１５を介して適宜のネットワークを通じて各種の指示信号・情報信号の送受を行う。
【００３７】
一方、ラベルプリンタ３は、被印字媒体としてのテープ（本来は渦巻き状であるが簡略化して同心円で図示している）２０３を巻回したテープロール２０４を着脱可能な（又はテープロール２０４を備えたカートリッジを着脱可能な）テープロールホルダ部２１０と、このテープロール２０４から繰り出されたテープ２０３に上記文書データの印字を行う印字ヘッド２０５と、印字が終了したテープ２０３を所定の長さに切断して印字ラベルＬ（図１参照）とするカッタ２０７と、印字ヘッド２０５に対向して設けられ、制御回路２０２により制御されてテープロール２０４からのテープ２０３を搬送する搬送装置２０９と、ユーザ（操作者）からの所望の操作が入力される操作部２１１と、所定の表示が行われる表示部２１２と、を有する。また制御回路２０２は通信制御部２０８を介して上記ネットワークによって操作端末２の通信制御部１５と接続されており、操作端末２と情報の送受が可能となっている。
【００３８】
図３は、操作端末２内における処理制御上の機能的構成の一例を表すブロック図である。この図３において、操作端末２の上記メモリ１３のＲＯＭに予め記憶された（若しくはＲＡＭに展開された）、上記印字ラベルＬに形成される印字データを作成するためのアプリケーションＡＰ及びプリンタドライバＰＤのそれぞれのプログラムが、相互に指示信号と情報信号を送受可能となっている。なお、このアプリケーションＡＰが、上記文書編集プログラムを含んでいる。そしてアプリケーションＡＰはプリンタドライバＰＤに対して信号を送受し、またプリンタドライバＰＤは上記通信制御部１５，２０８どうしのインターフェース接続を介してラベルプリンタ３と信号を送受するようになっている。アプリケーションＡＰとプリンタドライバＰＤとは、いずれも操作端末２が備える一つのＣＰＵ１２によって実行されるが、例えばタイムシェアリングシステム（ＴＳＳ）などの時分割での割り込み制御によってそれぞれ個別に独立して実行される。
【００３９】
以上の基本構成において、本実施形態の特徴は、操作端末２の表示部１７に、上記文書データとその文書データの書式設定を行うための１つのアイコンとが表示されるとともに、そのアイコンに対し、操作者が適宜に軌跡生成操作（後述）を行うことで文書データの書式設定を行えることである。
【００４０】
図４は、文書データと、その書式設定用のアイコンとを表示させた操作端末２の表示部１７の画面１７Ａの一例を示す図である。
【００４１】
図４に示すように、操作端末２の表示部１７の画面１７Ａには、ラベルイメージ表示部（文書表示手段)２１と、アイコン表示部（シンボル表示手段)２２とが含まれる。ラベルイメージ表示部２１には、操作部１４を介して操作者が入力した少なくとも１つのテキスト文字を含む、上記文書データの編集画面が表示される。この例では「ＷＡＩＫＩＫＩ」の文字列が文書データとして表示されている。
【００４２】
アイコン表示部２２には、予め定められたシンボル用テキスト文字（この例では「Ａ」の文字）を用いたテキストシンボル（いわゆるアイコン）が表示される。その際、このテキストシンボルは、操作端末２で上記文書データに対して予め設定可能に複数種類用意された書式設定のうち、その時点で設定されている書式設定を反映した態様により表示される。すなわち、例えば書式設定「アンダーライン」が設定されている状態では、アイコン表示部２２の「Ａ」にはアンダーラインが付加された状態で表示され（後述の図５（ａ）参照）、書式設定「斜字」が設定されている状態では、アイコン表示部２２の「Ａ」はイタリックの態様で表示される（後述の図５（ｂ）参照）。また、書式設定「アンダーライン」「斜字」の両方が設定されている状態では、アイコン表示部２２の「Ａ」にはアンダーラインが付加され、かつイタリックの態様で表示される（後述の図５（ｃ）参照）。すなわち、アイコン表示部２２は、第１の機能として、その時点で文書データに対し設定されている少なくとも１つの書式設定を視覚的にわかりやすく表示する、という書式設定表示機能を備えている。
【００４３】
そして、アイコン表示部２２は、さらなる第２の機能として、操作者が、表示されたテキストシンボルに対し所定の操作（後述する操作の軌跡を生成するような軌跡生成操作）を行うことにより、自らの意図する書式設定（アンダーライン、斜字、太字）を、新規に実行したり、既存の設定に加えたり、取り消したりすることができる。すなわち、書式設定操作機能を備えている。
【００４４】
例えば、図５（ａ）に示すように、操作者が、例えば操作部１４の上記マウスを介して画面１７Ａ中のカーソル位置（図中では便宜的に指先マークで表示している）を移動させ、文書データに対する書式が何も設定されていない状態でアイコン表示部２２の「Ａ」の下端部付近を左から右へ移動する軌跡を生成する。すると、これに応じて、文書データに対して新たに書式設定「アンダーライン」が設定されるとともに、この書式設定に対応してアイコン表示部２２にはアンダーラインが付加された態様の「Ａ」が表示される。同様に、操作者がカーソル位置を移動させ、文書データに対する書式が何も設定されていない状態で図５（ｂ）に示すようにアイコン表示部２２の「Ａ」の右上から左下へと斜め下へ移動する軌跡を生成する。すると、これに応じて、文書データに対して新たに書式設定「斜字」が設定されるとともに、この書式設定に対応してアイコン表示部２２にはイタリックの態様の「Ａ」が表示される。さらに、このような書式設定「斜字」が設定されイタリックの態様の「Ａ」が表示された状態で、操作者がカーソル位置を移動させ、図５（ｃ）に示すように、上記同様のアイコン表示部２２の「Ａ」の下端部付近を左から右へ移動する軌跡を生成すると、文書データに対してさらに書式設定「アンダーライン」が追加される。この結果、この加わった書式設定に対応してアイコン表示部２２にはイタリックの態様でかつアンダーラインが付加された態様の「Ａ」が表示される。
【００４５】
なお、上記図５（ａ）〜図５（ｃ）を用いて実行される、新たな書式の設定や書式の追加（言い換えれば書式設定の変更）は、原則、その書式変更が行われた後における操作者によるテキスト入力にのみ反映し、それ以前には反映しない。例えば、図６に示す例は、上記図４のように、書式設定が何もない状態で操作者により「ＷＡＩＫＩＫＩ」の文字列が入力されてラベルイメージ表示部２１に当該文字列が表示された状態から、図５（ａ）に示した操作により書式「アンダーライン」が設定された後、操作者によりさらに「ＢＥＡＣＨ」の文字列が入力された状態を示している。上記の書式設定操作の結果、ラベルイメージ表示部２１には、書式設定が何もない「ＷＡＩＫＩＫＩ」の文字列とアンダーラインが付加された「ＢＥＡＣＨ」の文字列とが表示される。なお、アイコン表示部２２には、最新の書式設定である「アンダーライン」書式設定を表す、アンダーラインが付加された状態の「Ａ」の文字が表示される。
【００４６】
また、図７に示す例は、上記同様に、書式設定が何もない状態で「ＷＡＩＫＩＫＩ」の文字列がラベルイメージ表示部２１に表示された状態から、図５（ｂ）に示した操作により書式「斜字」が設定された後、さらに「ＢＥＡＣＨ」の文字列が入力された状態を示している。上記の書式設定操作の結果、ラベルイメージ表示部２１には書式設定が何もない「ＷＡＩＫＩＫＩ」の文字列とイタリックの態様の「ＢＥＡＣＨ」の文字列とが表示され、アイコン表示部２２にはイタリックの「Ａ」の文字が表示される。
【００４７】
さらに、図８に示す例は、上記のように、書式設定が何もない状態で「ＷＡＩＫＩＫＩ」の文字列がラベルイメージ表示部２１に表示された状態から、図５（ｂ）に示した操作の後に図５（ｃ）に示した操作が行われることで書式「斜字」かつ「アンダーライン」が設定された後、さらに「ＢＥＡＣＨ」の文字列が入力された状態を示している。上記の書式設定操作の結果、ラベルイメージ表示部２１には書式設定が何もない「ＷＡＩＫＩＫＩ」の文字列とイタリックかつアンダーラインの態様の「ＢＥＡＣＨ」の文字列とが表示され、アイコン表示部２２にはイタリック態様でかつアンダーラインが付加された「Ａ」の文字が表示される。
【００４８】
なお、図９には、上記以外の書式設定の例として、書式設定「取消線」が設定された場合を例にとって示している。詳細な図示は省略するが、この書式設定は、例えば、操作者がカーソル位置を移動させ、アイコン表示部２２の「Ａ」の上下方向中央部付近を左から右へ移動する軌跡を生成することにより、設定される。
【００４９】
以上のようにして操作者により書式が設定された文書データが、図６〜図９に示すように画面１７Ａのラベルイメージ表示部２１に表示された状態で、操作者が操作部１４の適宜の操作によりラベルプリンタ３に対しラベル作成を指示する。これにより、ラベルプリンタ３は、ラベルイメージ表示部２１に表示された態様の文書データを印字ヘッド２０５によって形成した、印字ラベルＬを作成する。
【００５０】
上記のようにして作成された印字ラベルの例を図１０（ａ）〜図１０（ｃ）に示す。図１０（ａ）は、上記図６に示した画面１７Ａでの編集及び書式設定状態、すなわちラベルイメージ表示部２１に、「ＷＡＩＫＩＫＩ」の文字列とアンダーラインが付加された「ＢＥＡＣＨ」の文字列とが表示された状態での作成指示により作成された印字ラベルＬの例である。また、図１０（ｂ）は、上記図７に示した画面１７Ａでの編集及び書式設定状態である、ラベルイメージ表示部２１に、「ＷＡＩＫＩＫＩ」の文字列とイタリックの態様の「ＢＥＡＣＨ」の文字列とが表示された状態での作成指示により作成された印字ラベルＬの例である。また、図１０（ｃ）は、上記図８に示した画面１７Ａでの編集及び書式設定状態、すなわちラベルイメージ表示部２１に、「ＷＡＩＫＩＫＩ」の文字列とアンダーラインが付加されかつイタリックの態様の「ＢＥＡＣＨ」の文字列とが表示された状態での作成指示により作成された印字ラベルＬの例である。
【００５１】
次に、操作端末２の上記ＲＯＭに記憶された（又はＲＡＭに展開された）文書編集プログラムに基づき、ＣＰＵ１２が実行する制御手順を、図１１を用いて説明する。
【００５２】
例えば操作端末２の電源がＯＮにされ、操作部１４を用いてユーザが適宜の操作を行うことにより、図１１のフローが開始される。
【００５３】
すなわち、図１１において、まずステップＳ１で、ＣＰＵ１２は、上記アプリケーションを起動することにより、編集入力可能な画面、すなわちラベルイメージ表示部２１とアイコン表示部２２とを含む画面１７Ａを、操作端末２の表示部１７に表示させる。そして、ＣＰＵ１２は、ステップＳ２以降で操作者により入力されるテキストに対し適用するために、例えば予め固定的に定められている、初期書式設定（例えば、中程度のフォントサイズ、アンダーライン無し、斜字無し、太字無し、明朝体、等）をメモリ１３から取得する。この取得により、（ラベルイメージ表示部２１にまだ何のテキストも表示されていない状態のまま）アイコン表示部２２には、取得された書式設定に対応した態様で、テキストシンボル（前述の例では「Ａ」の文字）が表示される。なお、上記初期書式設定が各請求項記載の第１書式設定に相当し、ステップＳ１が第１書式取得手順を構成するとともに第１書式取得手段として機能する。その後、ステップＳ２に移る。
【００５４】
ステップＳ２では、ユーザにより操作部１４を介して文書データのテキスト入力があったかどうかを判定する。テキスト入力があった場合はステップＳ２の判定が満たされ、ステップＳ３に移る。ステップＳ３では、当該入力されたテキストをラベルイメージ表示部２１に表示することで、当該表示を更新する。その後、ステップＳ２に戻る。
【００５５】
一方、ステップＳ２にて、ユーザによる操作部１４を介した文書データのテキスト入力がなかった場合、判定が満たされず、ステップＳ４に移る。
【００５６】
ステップＳ４では、アイコン表示部２２に表示された上記テキストシンボルに対し、ユーザにより操作部１４を介して図５（ａ）〜（ｃ）に例示したような上記軌跡生成操作があったかどうかを判定する。ステップＳ４において軌跡生成操作がなかった場合は判定が満たされず、ステップＳ６において適宜のその他の処理（詳細な説明は省略）を実行し、ステップＳ２に戻る。ステップＳ４において軌跡生成操作があった場合には判定が満たされ、ステップＳ５に移る。なお、このステップＳ４が、各請求項記載の第１軌跡検出手順を構成するとともに、第１軌跡検出手段として機能する。
【００５７】
ステップＳ５では、上記ステップＳ４で検出された軌跡生成操作に基づき、当該操作がどのような書式設定に対応するものであるか、を判別する書式変更処理を実行する。
【００５８】
図１２は、図１１の書式変更処理の制御手順の一例を表すフローチャートである。
【００５９】
まず、ステップＳ７にて、上記ステップＳ４で検出された軌跡生成操作が、アイコン表示部２２のテキストシンボルの下側付近で左から右への直線的な軌跡を描く操作（前述の図５（ａ）参照）であったか否かを判定する。
【００６０】
上記テキストシンボルの下側で左から右への軌跡生成操作であった場合にはステップＳ７の判定が満たされ、ステップＳ８に移る。ステップＳ８では、これ以降にユーザにより操作部１４を介しテキスト入力される文書データに対し、書式設定「アンダーライン」を追加して設定（すなわち書式設定を変更）する。その後、後述のステップＳ１４に移る。
【００６１】
一方、ステップＳ７において、テキストシンボルの下側で左から右への軌跡生成操作ではなかった場合にはステップＳ７の判定が満たされず、ステップＳ９に移る。ステップＳ９では、上記ステップＳ４で検出された軌跡生成操作が、アイコン表示部２２のテキストシンボルの右上から左下へ向かって直線的な軌跡を描く操作（前述の図５（ｂ）参照）であったか否かを判定する。
【００６２】
上記テキストシンボルの右上から左下への軌跡生成操作であった場合にはステップＳ９の判定が満たされ、ステップＳ１０に移る。ステップＳ１０では、これ以降にユーザにより操作部１４を介しテキスト入力される文書データに対し、書式設定「斜字」を追加して設定（すなわち書式設定を変更）する。その後、後述のステップＳ１４に移る。
【００６３】
一方、ステップＳ９において、テキストシンボルの右上から左下への軌跡生成操作ではなかった場合にはステップＳ９の判定が満たされず、ステップＳ１１に移る。ステップＳ１１では、上記ステップＳ４で検出された軌跡生成操作が、アイコン表示部２２のテキストシンボルの上下方向中央付近で左から右へ向かって直線的な軌跡を描く操作であったか否かを判定する。
【００６４】
上記テキストシンボルの中央付近の左から右への軌跡生成操作であった場合にはステップＳ１１の判定が満たされ、ステップＳ１２に移る。ステップＳ１２では、これ以降にユーザにより操作部１４を介しテキスト入力される文書データに対し、書式設定「取消線」を追加して設定（すなわち書式設定を変更）する。その後、後述のステップＳ１４に移る。
【００６５】
なお、上記ステップＳ８における書式設定「アンダーライン」、上記ステップＳ１０における書式設定「斜字」、及び、上記ステップＳ１２における書式設定「取消線」が、各請求項記載の第２書式設定に相当している。また、それらステップＳ８、ステップＳ１０、及びステップＳ１２が、それぞれ、第２書式取得手順を構成するとともに第２書式取得手段として機能する。
【００６６】
一方、ステップＳ１１において、テキストシンボルの左から右への軌跡生成操作ではなかった場合にはステップＳ１１の判定が満たされず、上記書式設定「アンダーライン」「斜字」「取消線」のいずれの書式追加設定操作でもないとみなされ、ステップＳ１３において適宜のその他の処理（詳細な説明は省略）を行い、このルーチンを終了する。
【００６７】
そして、ステップＳ１４では、上記ステップＳ８での「アンダーライン」、ステップＳ１０での「斜字」、ステップＳ１２での「取消線」、のいずれか１つを追加した書式設定を、これ以降にユーザにより操作部１４を介しテキスト入力される文書データに対し適用する新規な書式設定とする（すなわち書式設定の更新を行う）。その後、ステップＳ１５に移る。なお、この更新された書式設定が、各請求項記載の合成書式設定に相当し、このステップＳ１４が、書式合成手順を構成するとともに、書式合成手段として機能する。
【００６８】
ステップＳ１５では、アイコン表示部２２において表示されるテキストシンボルの表示態様を、上記ステップＳ１４により設定（更新）された書式設定に対応した態様に変更（更新）する。これにより、ステップＳ８で書式設定「アンダーライン」が追加設定された場合には、図５（ａ）及び図５（ｃ）に示したように、それまでのテキストシンボルの表示に対し新たにアンダーラインが付された態様に変更される。また、ステップＳ１０で書式設定「斜字」が追加設定された場合には、図５（ｂ）に示したように、テキストシンボルの表示に対し新たにイタリックの態様が追加された態様に変更される。また、ステップＳ１２で書式設定「取消線」が設定された場合には、テキストシンボルの表示に対し新たに上下方向中央部に取消線が追加された態様（図９参照）に変更される。その後、このルーチンを終了して図１１に戻る。なお、このステップＳ１５が、各請求項記載のシンボル表示制御手順を構成するとともに、シンボル表示制御手段として機能する。
【００６９】
以上のようにして図１２のルーチンが終了すると、図１１におけるステップＳ２に戻る。この戻ったときにユーザにより操作部１４を介して文書データのテキスト入力があり、ステップＳ２の判定が満たされると、ステップＳ３で、当該入力された文書データは、上記ステップＳ１４で更新して設定された書式設定に対応した態様に変更して表示される。したがって、この場合のステップＳ３は、各請求項記載の第１文書表示制御手段として機能する。
【００７０】
以上説明したように、本実施形態においては、ラベルイメージ表示部２１に表示される文書データの書式設定を、アイコン表示部２２に表示されたテキストシンボルに対する軌跡生成操作によって行うことができる。これにより、操作者は、１つのテキストシンボルに対する操作のみで文書データの書式設定の各種変更を容易かつ確実に行うことができるので、利便性を向上することができる。また、特に表示部１７の表示領域が狭く、多くのボタンやテキストシンボル（アイコン）等を配置することが困難な場合であっても、１つのテキストシンボルの表示スペースさえあれば、書式設定の変更を確実に行うことができる。また、上記文書データの書式設定の変更の際、ラベルイメージ表示部２１に文書データの編集画面を表示した状態のままで書式設定を変更できるので、編集モードを中断して書式設定モードに移行する必要がなく、操作負担を簡素化できる。したがって、この意味でも操作者の利便性を向上することができる。
【００７１】
また、本実施形態では特に、アイコン表示部２２に表示されているシンボル用テキスト文字（上記の例では「Ａ」)が、その時点での書式設定を反映した態様で表示される。これにより、ラベルイメージ表示部２１の文書データが現在どのような書式設定になっているかを、操作者が一目で見て明白に認識することができる。
【００７２】
さらに、本実施形態では特に、図１１のステップＳ５の書式変更処理で変更された書式は、その後のステップＳ２においてテキスト入力があったときにステップＳ３において反映される。これにより、操作者がステップＳ４において軌跡生成操作をする前に入力した文書データについては、当初の書式設定を生かしたままとし、軌跡生成操作後に入力する文書データについてのみ、新たな書式設定とすることができる。
【００７３】
なお、本発明は、上記実施形態に限られず、技術思想を逸脱しない範囲で種々の変形が可能である。以下、そのような変形例を順を追って説明する。
【００７４】
（１）文字列の全体に一括して書式設定（変更）可能とした場合
上記実施形態では、前述したように、操作者が軌跡生成操作後に入力する文書データについてのみ、新たな書式設定としていた。しかしながら、これに限られない。すなわち、ＣＰＵ１２が、新たな書式設定を反映させるための文字列領域（軌跡生成操作前に入力したものを含む）をラベルイメージ表示部２１で選択可能としておき（各請求項記載の文字列選択手段としての機能）、上記のように軌跡生成操作により設定された書式設定を、当該選択された文字列に対し一括して反映させるようにしてもよい（各請求項記載の第２文書表示制御手段としての機能）。図１３〜図１６はそのような例であり、「ＷＡＩＫＩＫＩ  ＢＥＡＣＨ」を含む文字列領域全域が選択された後に上記の一括した書式設定の反映が実行された例を示している。図１３は書式設定「アンダーライン」が一括して設定された例、図１４は書式設定「斜字」が一括して設定された例、図１５は書式設定「アンダーラインかつ斜字」が一括して設定された例、図１６は書式設定「取消線」が一括して設定された例である。なお、上記の例では、文字列領域全域が選択され、文字列全体に書式設定が反映されていた。しかしながら、文字列の一部が選択された状態で一括した書式設定が行えるように構成してもよい。その場合、文字列のうち選択された文字だけに一括した書式設定が反映される。
【００７５】
上記したように、本変形例では、操作者が軌跡生成操作をする前に入力・編集した文書データについても、軌跡生成操作後に入力・編集する文書データと同様に、一斉に新たな書式設定とすることができる。
【００７６】
（２）書式設定の変更の取消を可能とした場合
すなわち、図５（ａ）に対応する図１７（ａ）に示すように、ラベルイメージ表示部２１の文書データに対して書式設定「アンダーライン」が設定され、これに対応してアイコン表示部２２にはアンダーラインが付加された態様の「Ａ」が表示された状態で、図５（ａ）と逆向きの軌跡生成操作、すなわちアイコン表示部２２の「Ａ」の下端部付近を右から左へ移動する軌跡が生成された場合である。この場合には、図示のように、上記書式設定「アンダーライン」の追加が取り消され、もとの書式設定に復元される。
【００７７】
また、図５（ｂ）に対応する図１７（ｂ）に示す例では、文書データに対して書式設定「斜字」が設定された状態で、図５（ｂ）と逆向きの、アイコン表示部２２の「Ａ」の左下から右上へと斜め上へ移動する軌跡が生成されている。この場合には、図示のように書式設定「斜字」の追加が取り消され、もとの書式設定に復元される。同様に、図５（ｃ）に対応する図１７（ｃ）に示す例では、文書データに対して書式設定「斜字かつアンダーライン」が設定された状態で、図５（ｃ）と逆向きの、アイコン表示部２２の「Ａ」の下端部付近を右から左へ移動する軌跡が生成されている。この場合には、図示のように書式設定「斜字かつアンダーライン」のうち「アンダーライン」が取り消され、もとの「斜字」のみの書式設定に復元される。
【００７８】
なお、上記それぞれの、逆向きに生成された軌跡を検出するＣＰＵ１２の機能が、各請求項記載の第２軌跡検出手段として機能する。
【００７９】
本変形例によれば、操作者が軌跡生成操作をして書式設定を変更した後に、思い直して当該変更を取り消したい場合には、上記軌跡生成操作を打ち消すような逆向きの操作を行うことで、もとの書式設定に簡単に戻すことができる。これにより、さらに利便性を向上することができる。
【００８０】
（３）その他の書式設定のバリエーション
以上においては、操作者が、例えば操作部１４のマウスを介して画面１７Ａ中のカーソル位置を移動させることで、上記軌跡生成操作を行った。しかしながら、このようなカーソルを用いた操作に限られない。例えば、画面１７Ａのアイコン表示部２２のうちテキストシンボルが表示された部分そのものにタッチパネルのように指やペンを接触させ、その画面１７Ａと接触する部位を移動させる（＝接触操作する）ことにより、軌跡生成操作を行うようにしてもよい。
【００８１】
このような、操作者の指やペンによる操作を含め、これまでに述べた操作以外の操作により、上記書式設定「アンダーライン」「斜字」「取消線」以外の各種書式設定を設定可能としてもよい。例えば、操作者が、２本指で上記テキストシンボルの中央部から上下へそれぞれなぞるような接触操作、いわゆるピンチアウト操作をした場合（又はペンで中央部から上へなぞるように接触操作した場合）には、書式設定「大きなフォントサイズ」を追加して設定できるようにしてもよい。この場合、その逆向きの操作で書式設定「小さなフォントサイズ」を追加して設定できるようにしてもよい。あるいはフォントサイズではなく、文字幅のみを伸び縮みするようにしてもよい。また、テキストシンボル上を上から下へ縦に線を引くように軌跡生成操作すると書式設定「縦書き」とし、もう一度同じ操作をすると書式設定「横書き」に戻るようにしてもよい。また、テキストシンボル上で時計回りに円を描くと書式設定「太字」が設定され、テキストシンボル上で反時計回りに円を描くと、上記太字設定が取り消されるようにしてもよい。
【００８２】
（４）その他
また、以上においては、文書編集装置として、印字システム１に備えられ、インターフェースを介してラベルプリンタ３に接続される操作端末２に対し、本発明を適用した場合を例にとって説明したが、これに限らない。すなわち、上記文書編集装置としての操作端末２の機能自体を、ラベルプリンタ３が備えている場合には、当該ラベルプリンタの機能に対して、上記本発明を適用してもよい。この場合、印字ラベル作成装置としてのラベルプリンタ３に備えられる表示手段は、表示領域が狭く、多くのボタンやシンボル（アイコン）等を配置することが困難である場合が多い。したがって、前述したように、本発明を適用することで、１つのテキストシンボルの表示スペースさえあれば、操作者は書式設定の変更を容易にかつ確実に行うことができるので、利便性を向上する効果が高い。
【００８３】
また、以上においては、文書編集装置としての操作端末２が、ラベルプリンタ３で作成する印字ラベルＬに形成する文書データを編集するために用いられる場合を例にとって説明したが、これに限られない。すなわち、ラベル以外の印刷物を生成するための、例えば通常のＡ４サイズＢ４サイズ等の印刷用紙等への印字を実行するプリンタ、複合機、ＦＡＸ機等の印字装置に接続されるパソコン等の操作端末に本発明を適用してもよい。この場合、当該操作端末が、上記印刷物へ印字形成する文書データを編集する文書編集装置であり、これに対し上記本発明を適用することで、同様の効果を得る。
【００８４】
なお、以上において、図２、図３等に示す矢印は信号の流れの一例を示すものであり、信号の流れ方向を限定するものではない。
【００８５】
また、図１１、図１２に示すフローチャートは本発明を上記フローに示す手順に限定するものではなく、発明の趣旨及び技術的思想を逸脱しない範囲内で手順の追加・削除又は順番の変更等をしてもよい。
【００８６】
また、以上既に述べた以外にも、上記実施形態や各変形例による手法を適宜組み合わせて利用しても良い。
【００８７】
その他、一々例示はしないが、本発明は、その趣旨を逸脱しない範囲内において、種々の変更が加えられて実施されるものである。
【符号の説明】
【００８８】
１                印字システム
２                操作端末（文書編集装置）
３                ラベルプリンタ
２１              ラベルイメージ表示部（文書表示手段)
２２              アイコン表示部（シンボル表示手段）
【図１】
2012098843.tif 000003
【図２】
2012098843.tif 000004
【図３】
2012098843.tif 000005
【図４】
2012098843.tif 000006
【図５】
2012098843.tif 000007
【図６】
2012098843.tif 000008
【図７】
2012098843.tif 000009
【図８】
2012098843.tif 000010
【図９】
2012098843.tif 000011
【図１０】
2012098843.tif 000012
【図１１】
2012098843.tif 000013
【図１２】
2012098843.tif 000014
【図１３】
2012098843.tif 000015
【図１４】
2012098843.tif 000016
【図１５】
2012098843.tif 000017
【図１６】
2012098843.tif 000018
【図１７】
2012098843.tif 000019